(57)【要約】      （修正有）【課題】ごみ収納スペースの四方を板、柵、金網等で囲まず、２枚の扉部材とそれに連結する支持部材とでスペースを確保することで未使用時の省スペース化とともに、ごみの搬出入時の労力の軽減を図る。さらに、構成を単純化する。【解決手段】本考案は支柱１に連結された扉部材６とその扉部材６に連結された支持部材１５とでごみ収納スペースを設け、さらにそこにネット状のもの１２を覆い被せてごみ収納空間に幅を持たせたるとともに、未使用時のさらなる省スペース化を図る。【選択図】図５
0003117187.tif 000002
【実用新案登録請求の範囲】
【請求項１】
ごみ置場に設置される折りたたみ式ごみ収納装置において、所定間隔を置いて配置される基礎上に起立される左右の支柱と、前記左右の支柱に水平方向に開閉自在に取り付けられ、使用時観音開き状に開放される左右の扉部材と、前記左右の扉部材の開放状態で、各々の扉部材の前方上部側に取り付けて張られる線状の支持部材と、未使用時、扉の閉じた状態でその後方にまとめられて収納される所定の大きさのネット状のものと、を備え、使用時、前記左右の扉部材を開放し、前記支持部材を前記左右の扉部材間に張った状態で、前記ネット状のものを後方側から前記支持部材上部を通して前方側に広げることで上方から覆い、前記左右の扉部材間と広げたネット状のものとの間にごみ収納空間を設けることを特徴とする折りたたみ式ごみ収納装置。
【請求項２】
前記線状の支持部材は、ロープ状、ワイヤー状、鎖状のものであることを特徴とする請求項１記載の折りたたみ式ごみ収納装置。
【請求項３】
前記扉部材の上部でかつ前記左右の支柱間に平板を１枚もしくは複数枚取り付けた掲示板を、未使用時前記扉部材の前面とほぼフラットになるように設けることを特徴とする請求項１または請求項２記載の折りたたみ式ごみ収納装置。
【考案の詳細な説明】
【技術分野】
【０００１】  本考案は、観音扉とロープ状またはワイヤー状または鎖状の支持部材でごみ収納スペースを設け、そのスペースをネット状のもので覆う折りたたみ式ごみ収納装置に関するものである。
【背景技術】
【０００２】  以前からある折りたたみ式ごみ収納装置は構造が複雑な上に、収納装置の四方が板材、柵、または金網で閉じられていた（例えば、特許文献１、２参照）。
【特許文献１】  特開平９−２６３３０２号公報
【特許文献２】  実用新案登録第３０７８２５９号公報
【考案の開示】
【考案が解決しようとする課題】
【０００３】  従来の折りたたみ式ごみ収納装置は、ごみ収納スペースの四方が板材、柵、金網で閉じられていることにより、ごみ収納空間へごみ袋を出し入れする際高い位置まで持ち上げる必要があり、特に高齢者など力の弱い人はごみ袋を高く持ち上げて投入することは大変苦労していた。また、四方を板状、柵、金網で囲っていたことから、折りたたみの構成が複雑であり、また折りたたんだ未使用時にあってもあまり薄くならず、更に、収納空間が固定的であるためごみ収納空間以上のごみが持ち込まれると上部側にはみ出してしまい見栄えがよくなくかった。【０００４】  本考案は、このような従来の構成が有していた問題を解決するものであり、構造をシンプルにして構成部品を少なくしコストを大幅に抑えることが可能であり、また折りたたみ作業が非常に簡単にでき、さらにごみ袋の出し入れが容易にできる折りたたみ式ごみ収納装置を提供することを目的とする。
【課題を解決するための手段】
【０００５】  本考案は、上記目的を達成するために、所定間隔を置いて配置される基台上に起立される左右の支柱と、前記左右の支柱に水平方向に開閉自在に取り付けられ、使用時観音開き状に開放される左右の扉部材と、前記左右の扉部材の開放状態で、各々の扉部材の前方上部側に取り付けて張られる線状の支持部材と、未使用時、扉の閉じた状態でその後方にまとめられて収納される所定の大きさのネットと、を備え、使用時、前記左右の扉部材を開放し、前記支持部材を前記左右の扉部材間に張った状態で、前記ネットを後方側から前記支持部材上部を通して前方側に広げることで上方から覆い、前記左右の扉部材間と広げたネット間にごみ収納空間を設けることを特徴とするものである。【０００６】  また、請求項２に記載の考案は、線状の支持部材をロープ状、ワイヤー状、鎖状としたことを特徴とするものである。【０００７】  また、請求項３に記載の考案は、前記扉部材の上部でかつ前記左右の支柱間に平板を１枚もしくは複数枚取り付けた掲示板を、
未使用時前記扉部材の前面とほぼフラットになるように設けることを特徴とするものである。
【考案の効果】
【０００８】  上述のように、本考案の折りたたみ式ごみ収納装置は、左右の扉部材、線状の支持部材、及びネット状のものだけで構成できることから、部品が少なくコストを大幅に抑えることができ、また未使用時には大幅に薄くして収納することができる。また、ごみの投入及び収集時にはネット状のものをめくり上げるだけでいいため、従来のようにごみ袋を高く持ち上げる必要がほとんどない。また、構造が極めてシンプルであるゆえに修理が簡便なので、専門業者等に依頼することなく利用者で修理することも可能である。更に持ち込まれるごみの量が若干多くとも前後側には柵上のものがないため、ある程度大きめのネットを用意しておくことで、前後側にネットを広げて簡単にごみを覆うことができる。【０００９】  さらに、本考案の折りたたみ式ごみ収納装置の上部に掲示板を設けることにより、未使用時には扉と掲示板がフラットになるため、外観のバランスがよく周囲の景観との一体化を図ることも可能になるほか、情報伝達の場としての使用が可能となる。
【考案を実施するための最良の形態】
【００１０】  以下、本考案の折りたたみ式ごみ収納装置の実施形態を図１〜図９を使って説明する。添付図面においては１は支柱、２は支柱同士をつなぐ桁、３は支柱同士をつなぐ桟、１０は支柱を起立させる基礎、６は観音開きとなる扉部材、７は支柱１と扉部材６を連結する丁番、４は２枚の扉部材６を中央で閉じるためのロック金具、５は扉部材６を開いた時に支柱１と扉部材６の接合部に落とし込み扉部材６が閉じないように支持するもので扉部材６が閉じた状態では扉部材６の上部を覆うカバー、８はカバー５を桟３に固定する丁番、９は扉部材６を開くときカバー５を上に上げた状態を保持するカバーロック、１１はカバーロック９を連結する丁番、１２はごみ収納スペース１８を覆うネット状のもの、１３は桁２、桟３、および支柱１の間に固定された１枚または複数枚の平板で構成された掲示板の役割を果たすもの、１４はネット状のもの１２を収納する袋状のもの、１５はロープ状、ワイヤー状または鎖状のもので構成される線状の支持部材、１６は支持部材１５をもう一方の扉部材６の上部に連結するための金具、１７は支持部材１５の先端に取り付けたフック状の金具である。【００１１】  上記構成の使用時における展開の動作を図４〜図８に従って説明する。ロック金具４を解除して、カバー５を上方に上げ、カバーロック９で保持する。扉部材６を左右に開き、カバーロック９を上方にあげロックを解除しカバー５を落とし込み扉部材６が閉じないように支持する。支持部材１５をもう一方の扉部材６と連結する。ネット状のもの１２を袋状のもの１４内に、まとめられて収納されていたネット状のもの１２から取り出し、支持部材１５の上部を通して前方に引き出し、図３、図８で示されたようなごみ収納スペース１８を覆う。【００１２】  本考案の折りたたみ式ごみ収納装置にごみを搬入するときはネット状のもの１２をめくり上げて支持部材１５の下もしくは上、またはフック状の金具１７を外してごみ収納スペースに収納し、その後ネット状のもの１２で覆う。金具１７を外した場合はフック状の金具１７に連結した後、ネット状のもの１２で覆う。【００１３】  ごみ収集時はネット状のもの１２の全体をめくり上げて支持部材１５の先端にあるフック状の金具１７を外してごみ収納スペース１８にあるごみを搬出する。【００１４】  搬出後は展開の逆の手順により図１、図９の状態に戻す。
【図面の簡単な説明】
【００１５】
【図１】本考案の折りたたみ式ごみ収納装置の未使用時の正面図である。
【図２】本考案の折りたたみ式ごみ収納装置の扉を開いた状態の側面図である。
【図３】本考案の折りたたみ式ごみ収納装置の扉を開き支持部材を張った状態の平面図である。
【図４】ロック用金具を解除し、カバーを上にあげ、カバーロックを状態を保持し、扉を開放した図である。
【図５】カバーロックを解除し、カバーを落とし込み、扉が閉じないよう支持し、支持部材の先端にあるフックを金具に連結する図である。
【図６】同上
【図７】収納用の袋状のものからネット上のものを取り出した図である。
【図８】本考案の折りたたみ式ごみ収納装置の使用時の正面図である。
【図９】本考案の折りたたみ式ごみ収納装置の未使用時の正面図である。
【符号の説明】
【００１６】  １    支柱
２    支柱を同士をつなぐ桁
３    支柱同士をつなぐ桟
４    ロック金具
５    カバー
６    扉部材
７    支柱と扉を連結する丁番
８    カバーを桟に連結する丁番
９    カバーロック
１０  支柱を起立させる基礎
１１  カバーロックを桟に連結する丁番
１２  ネット状のもの
１３  掲示板
１４  ネット状のものを収納する袋状のもの
１５  線状の支持部材
１６  支持部材を扉部材に連結させるための金具
１７  支持部材の一端に取り付けたフック状の金具
１８  ごみ収納スペース
【図１】
0003117187.tif 000003
【図２】
0003117187.tif 000004
【図３】
0003117187.tif 000005
【図４】
0003117187.tif 000006
【図５】
0003117187.tif 000007
【図６】
0003117187.tif 000008
【図７】
0003117187.tif 000009
【図８】
0003117187.tif 000010
【図９】
0003117187.tif 000011